(57)【要約】【課題】開封して解体した後、扁平に折り畳んだ状態を維持できるようにする。【解決手段】天板１、一対の側板２及び底板３を角筒状に連設し、側板２の両端から延びる端板５と、天板１及び底板３の両端から延びる端片６とを貼り合わせて封緘し、開封に際しては、天板１を端片６から切り離して開放する包装箱において、前記底板３から延びる端片６に、幅方向の中間部から両底角に至る切目線１２ａを入れ、解体に際しては、この端片６を切目線１２ａに沿って切断し、これに伴い、端片６の端板５に貼り付いた部分を底板３から切り離して、折り畳むようにする。折り畳みに際し、底板３の影響を受けることなく、側板２からの端板５の折り曲げを戻して、二つ折りにすることができるので、折畳状態で大きな反発力が作用せず、扁平な折畳状態を維持できる。【選択図】図５
2010159070.tif 000002
【特許請求の範囲】
【請求項１】
天板(1)、一対の側板(2)及び底板(3)を角筒状に連設し、側板(2)の両端から延びる端板(5)と、天板(1)及び底板(3)の両端から延びる端片(6)とを貼り合わせて封緘し、開封に際しては、天板(1)を端片(6)から切り離して開放する包装箱において、前記底板(3)から延びる端片(6)に、幅方向の中間部から両底角に至る切目線(12a)を入れ、解体に際しては、この端片(6)を切目線(12a)に沿って切断し、これに伴い、端片(6)の端板(5)に貼り付いた部分を底板(3)から切り離して、折り畳むようにしたことを特徴とする包装箱。
【発明の詳細な説明】
【技術分野】
【０００１】
この発明は、開封後に解体し、折り畳んで廃棄できる包装箱に関するものである。
【背景技術】
【０００２】
従来、下記特許文献１には、飲料ボトルの梱包に使用する段ボール製包装箱として、図１３に示すものが記載されている。この包装箱は、天板５１、一対の側板５２及び底板５３を継代片５４を介して角筒状に連設し、側板５２の両端から延びる端板５５と、天板５１及び底板５３の両端から延びる端片５６とを重ね合わせて封緘するものである。
【０００３】
この包装箱には、天板５１とこれに繋がる端片５６との境界に、その両端に亘ってジッパと呼ばれる鉤形の切目が断続した切目線５７が入れられ、底板５３とこれに繋がる端片５６に亘ってカットテープ５８が貼着されると共に、底板５３に、底角からカットテープ５８の位置へ至る斜め方向の折目線５９が入れられている。
【０００４】
上記包装箱により飲料ボトルを梱包して、配送後、包装箱を開封する際には、継代片５４を側板５２から剥がし、天板５１と端片５６の境界を切目線５７に沿って切断することにより、天板５１を開いて、天面を開口させる。
【０００５】
また、この包装箱を廃棄する際には、包装箱の天地を反転させて、カットテープ５８により底板５３及び端片５６を切断し、図１４に示すように、底板５３の四隅を折目線５９に沿って折り曲げつつ、端板５５及び端片５６を内側に折り込むことにより、嵩張らないように折り畳む。
【先行技術文献】
【特許文献】
【０００６】
【特許文献１】実開昭６２−１９１６２１号公報
【発明の概要】
【発明が解決しようとする課題】
【０００７】
しかしながら、上記のような包装箱では、折り畳みに際し、底板５３の四隅を折り曲げつつ、重なり合った端板５５及び端片５６を内側に折り込むことから、紐掛け等により反発を抑制しなければ、扁平な状態を維持できないという問題がある。
【０００８】
そこで、この発明は、開封して解体した後、扁平に折り畳んだ状態を維持できるようにすることを課題とする。
【課題を解決するための手段】
【０００９】
上記課題を解決するため、この発明は、天板、一対の側板及び底板を角筒状に連設し、側板の両端から延びる端板と、天板及び底板の両端から延びる端片とを貼り合わせて封緘し、開封に際しては、天板を端片から切り離して開放する包装箱において、前記底板から延びる端片に、幅方向の中間部から両底角に至る切目線を入れ、解体に際しては、この端片を切目線に沿って切断し、これに伴い、端片の端板に貼り付いた部分を底板から切り離して、折り畳むようにしたのである。
【発明の効果】
【００１０】
この発明に係る包装箱では、折り畳みに際し、底板の影響を受けることなく、側板からの端板の折り曲げを戻して、二つ折りにすることができるので、折畳状態で大きな反発力が作用せず、紐掛け等をしなくても、扁平な折畳状態を維持することができ、嵩張らない状態で、回収業者への引き渡し等、廃棄をすることができる。
【図面の簡単な説明】
【００１１】
【図１】この発明の第１実施形態に係る包装箱のブランクを示す図
【図２】同上の組立状態を示す斜視図
【図３】同上の開封過程を示す斜視図
【図４】同上の開封状態を示す斜視図
【図５】同上の解体過程を示す斜視図
【図６】同上の折畳状態を示す斜視図
【図７】この発明の第２実施形態に係る包装箱のブランクを示す図
【図８】同上の組立状態を示す斜視図
【図９】同上の開封過程を示す斜視図
【図１０】同上の開封状態を示す斜視図
【図１１】同上の解体過程を示す斜視図
【図１２】同上の折畳状態を示す斜視図
【図１３】従来の包装箱の開封過程を示す斜視図
【図１４】同上の折畳過程を示す斜視図
【発明を実施するための形態】
【００１２】
まず、この発明の第１実施形態を図１乃至図６に基づいて説明する。
【００１３】
この包装箱は、図１に示すような段ボールのブランクから形成されるラップラウンド形式のものである。このブランクでは、天板１の一側に側板２、底板３及び側板２が順次連設され、天板１の他側に継代片４が連設されている。側板２の両端には端板５が、天板１及び底板３の両端には端片６がそれぞれ連設されている。
【００１４】
天板１には、両端に亘って平行な２本の切目線７ａが幅方向の中間部に入れられ、２本の切目線７ａ間に引裂帯７が形成されている。引裂帯７の中央部には、Ｈ字状の切目を入れて摘み部７ｂが設けられ、切目線７ａは、鉤状の切目が断続するジッパとされている。
【００１５】
天板１と端片６との境界には、境界の全長に亘って切目線８が入れられ、切目線８は、鉤状の切目が断続するジッパとされている。
【００１６】
天板１の両端に繋がる端片６には、取手穴９が設けられ、引裂帯７の終端から取手穴９にかけて幅方向の中間部に上下方向に延びる１本の切目線１０ａが入れられると共に、取手穴９から端片６の端縁にかけて幅方向の中間部に上下方向に延びる２本の平行な切目線１０ｂが入れられて、２本の切目線１０ｂ間に引裂帯１０が形成されている。
【００１７】
天板１と継代片４との境界には、切目線１１が全長に亘って入れられ、切目線１１は、鉤状の切目が断続するジッパとされている。
【００１８】
底板３の両端に繋がる端片６には、先端縁の中間部から上下方向に２本平行に延びる部分と、これに続いて、底板３側の両方の角へかけて斜め方向に延びる部分とから成る切目線１２ａが入れられ、その間に引裂片１２が形成されている。この端片６の先端側には、引裂片１２の摘み部１２ｂが設けられ、切目線１２ａの傾斜部分は、鉤状の切目が断続するジッパとされている。
【００１９】
端板５には、先端の中央部に突き出した突合部５ａが設けられ、その両側に切込を入れて、揺動片５ｂが設けられている。また、先端の天板１側の部分には、取手穴９に対応した切欠部５ｃが設けられている。
【００２０】
上記のようなブランクを組み立てて飲料ボトル等の物品を包装するには、図２に示すように、天板１、一対の側板２及び底板３を角筒状に折り曲げて物品を包み込み、継代片４を反対側の側板２に貼り付け、端板５及び端片６を順次折り曲げ、端板５と端片６とを貼り合わせて封緘する。
【００２１】
なお、この包装箱は、流通過程において、一方の側板２が底面となり、他方の側板２が天面となるように、平置きされることがあるが、持ち運び時や開封時には、図示のように正立させることが一般的である。
【００２２】
このように封緘した包装箱を開封する際には、図３に示すように、引裂帯７を摘み部７ｂから両端方向へ引っ張って、天板１を切目線７ａ沿いに切断し、引裂帯７の切取跡に生じた隙間に手を入れて、天板１の切目線７ａに臨む部分を引き上げる。
【００２３】
そして、図４に示すように、天板１と端片６の境界を切目線８に沿って切断することにより、天板１を端片６から切り離して開放し、天面を開口させ、その開口部から飲料ボトル等の物品を取り出す。
【００２４】
一方、この包装箱を廃棄する際には、図５に示すように、上方の端片６を、切目線１０ａに沿って切断し、引裂帯１０を取手穴９から下方へ引っ張って、この端片６を切目線１０ｂに沿って切断することにより、左右に分割する。
【００２５】
次に、引裂片１２を摘み部１２ｂから引っ張って、下方の端片６を切目線１２ａ沿いに切断し、引裂片１２を外側へ開くことにより、この端片６を、左右に分割すると共に、この端片６の端板５に貼り付いた部分を底板３から切り離す。このとき、端板５の揺動片５ｂを押し込むと、摘み部１２ｂを容易に摘むことができる。
【００２６】
その後、端板５に端片６が貼り付いたままで、側板２からの端板５の折り曲げを戻し、両端面が開いた包装箱を、一方の側板２と底板３の境界の折目線に沿って二つ折りにすると、図６に示すように、扁平に折り畳むことができる。
【００２７】
上記のような包装箱では、折り畳みに際し、底板３の影響を受けることなく、側板２からの端板５の折り曲げを戻して、二つ折りにすることができるので、折畳状態で大きな反発力が作用せず、紐掛け等をしなくても、扁平な折畳状態を維持することができ、嵩張らない状態で、廃棄をすることができる。
【００２８】
次に、この発明の第２実施形態を図７乃至図１２に基づいて説明する。ここでは、上記第１実施形態との共通部分の説明は省略し、相違点についてのみ言及する。
【００２９】
この包装箱は、図７に示す段ボールのブランクから形成される。このブランクでは、天板１に引裂帯はなく、開放側の側板２には、端縁から切込を入れて押込片２ａが２個形成されている。
【００３０】
底板３には、幅方向の中央部に両端に亘って１本の押罫から成る折目線３ａが入れられている。底板３の両端に繋がる端片６に形成された引裂片１２の始端側には、２本の切目線１２ａ間に弧状の切込を入れて切取部１２ｃが形成されている。
【００３１】
上記ブランクから成る包装箱では、図８に示すように組み立てて、飲料ボトル等の物品を包装し、継代片４を反対側の側板２の外面に貼り付けて封緘すると、継代片４により押込片２ａが覆われる。
【００３２】
このように封緘した包装箱を開封する際には、まず、図９に示すように、継代片４を、切目線１１に沿って天板１から切り離しつつ、側板２から引き剥がす。
【００３３】
次に、図１０に示すように、天板１と端片６の境界を切目線８に沿って切断することにより、天板１を端片６から切り離して開放し、天面を開口させる。このとき、押込片２ａを押し込むと、天板１の裏面に指を掛けて、天板１を容易に開くことができる。
【００３４】
そして、この包装箱を廃棄する際には、切取部１２ｃを捲って切り取り、これに伴い生じた引裂片１２の湾曲縁に指を掛け、引裂片１２を下方へ引っ張って、図１１に示すように、下方の端片６を切目線１２ａに沿って切断し、引裂片１２を外側へ開いて、この端片６を左右に分割し、端片６の端板５に貼り付いた部分を底板３から切り離す。
【００３５】
その後、上方の端片６を、切目線１０ａ、１０ｂに沿って山折りにしつつ、図１２に示すように、底板３を折目線３ａに沿って二つ折りにすると、包装箱を扁平に折り畳むことができる。なお、この端片６は、第１実施形態の場合と同様、切目線１０ａ、１０ｂに沿って切断し、左右に分割してもよい。
【００３６】
上記のような包装箱でも、折り畳みに際し、底板３の影響を受けることなく、側板２からの端板５の折り曲げを戻して、二つ折りにすることができるので、折畳状態で大きな反発力が作用せず、紐掛け等をしなくても、扁平な折畳状態を維持することができ、嵩張らない状態で、廃棄をすることができる。
【００３７】
なお、この実施形態では、上方の端片６を切目線１０ａ、１０ｂに沿って折り曲げ、又は切断することとしたが、折り曲げるだけであれば、切目線１０ａ、１０ｂに代えて、押罫の折目線を入れるようにしてもよい。
【００３８】
また、下方の端片６の先端縁から切目線１２ａを入れたが、この端片６の先端と基端の中間部から山形に傾斜した切目線１２ａを入れ、切目線１２ａの頂部に設けた指入穴に指を入れて、引裂片１２を外側へ切り開くようにしてもよい。
【００３９】
また、切目線１２ａを、下方の端片６の先端縁から基端まで垂直に延び、端片６と底板３との境界に沿ってその両端に至るように入れ、この端片６を切目線１２ａに沿って切断することにより、完全に左右に分割して開くようにしてもよい。
【００４０】
さらに、上記各実施形態では、直方体の包装箱を例示したが、稜部に傾斜した面取り部を有する包装箱においても、同様の構成を適用することができる。
【符号の説明】
【００４１】
１  天板
２  側板
３  底板
４  継代片
５  端板
５ａ  突合部
５ｂ  揺動片
５ｃ  切欠部
６  端片
７  引裂帯
７ａ  切目線
７ｂ  摘み部
８  切目線
９  取手穴
１０  引裂帯
１０ａ，１０ｂ  切目線
１１  切目線
１２  引裂片
１２ａ  切目線
１２ｂ  摘み部
１２ｃ  切取部
【図１】
2010159070.tif 000003
【図２】
2010159070.tif 000004
【図３】
2010159070.tif 000005
【図４】
2010159070.tif 000006
【図５】
2010159070.tif 000007
【図６】
2010159070.tif 000008
【図７】
2010159070.tif 000009
【図８】
2010159070.tif 000010
【図９】
2010159070.tif 000011
【図１０】
2010159070.tif 000012
【図１１】
2010159070.tif 000013
【図１２】
2010159070.tif 000014
【図１３】
2010159070.tif 000015
【図１４】
2010159070.tif 000016